(57)【要約】【課題】眼鏡枠を顔面の所定位置に保持する保持本体を装着したままの状態で別体の眼鏡枠を着脱できるようにした眼鏡を提供する。【解決手段】ヘッドバンド３に取付片２を取り付け、取付片２に回転片７を取り付けている。回転片７には下方からくぼみ１０を設け、くぼみ１０の奥に磁石１１を埋め込んでいる。別体の眼鏡枠１２の中央上面に突起１５を形成している。突起１５は回転片７のくぼみ１０よりやや小さいものとし、磁石１６を埋め込んでいる。眼鏡枠１２を取り付けるには回転片７を上方へ回転させておく。突起１５をくぼみ１０にはめると、磁石１１・１６が吸着し合って眼鏡枠１２の取付けが終る。眼鏡枠１２を持って下方へ回転さ、所定角度にして使用する。眼鏡枠１２を取り替えるには、眼鏡枠１２を上方へ回転させて引き抜き別の眼鏡枠１２を取り付ける。【選択図】      図１
2005043843.tif 000002
【特許請求の範囲】
【請求項１】
眼鏡枠（１２）を顔面の所定位置に保持する保持本体（１）と保持本体（１）に対して着脱できるようにした眼鏡枠（１２）とからなるものにおいて、保持本体（１）の所定位置において上下に回転できるように回転片（７）を取り付け、回転片（７）の下方にくぼみ（１０）又は突起（１５）を設けてくぼみ（１０）の奥又は突起（１５）に磁石（１１）を設け、回転片（７）のくぼみ（１０）又は突起（１５）に対応する位置において眼鏡枠（１２）の上方に回転片（７）のくぼみ（１０）にはまる突起（１５）又は回転片（７）の突起（１５）がはまるくぼみ（１０）を設けてその突起（１５）又はくぼみ（１０）の奥に回転片（７）の磁石（１１）と吸着し合う磁石（１６）を設け、しかもくぼみ（１０）の大きさを突起（１５）よりやや大きめのものとした眼鏡。
【請求項２】
眼鏡枠（１２）を取り付ける際に眼鏡枠（１２）をガイドするガイド部（９）を回転片（７）又は眼鏡枠（１２）に設けたことを特徴とする、請求項１記載の眼鏡枠。
【発明の詳細な説明】
【技術分野】
【０００１】  本発明は、眼鏡枠を顔面の所定位置に保持する保持本体を装着したままの状態で別体の眼鏡枠を着脱できるようにした眼鏡に関するものである。
【背景技術】
【０００２】  従来の眼鏡は眼鏡枠・つる等が一体になっているのがほとんどである。したがって、状況に応じて二種類以上の眼鏡を必要とする者やファッション感覚で二種類以上を使い分けたい者は、二種類以上の眼鏡を常備しておくこととなる。これでは不便であるため、眼鏡枠を着脱できるようにしたものが発明されている（例えば特許文献１参照）。このものは、つるを備えた保持本体と左右のレンズ枠の中央を中央連結片で連結した眼鏡枠とからなっている。眼鏡枠の中央連結片は互いに平行な２本の横材からなり、前記保持本体の中央には前記横材を各各ぴったりはめ込むことのできる大きさ・形状の２個の平行な溝を有する支持ブロックを設けている。保持本体の２個の溝に眼鏡枠の中央連結片の２本の横材をそれぞれはめ込むことで保持本体に眼鏡枠を取り付ける。眼鏡枠を取り外す場合は、中央連結片の２本の横材を保持本体の溝から外せばよい。
【特許文献１】特開昭５６−１３０７１２号公報
【発明の開示】
【発明が解決しようとする課題】
【０００３】  前記従来のものには次のような欠点がある。すなわち、保持本体を装着したままでは眼鏡枠を着脱することはできない。なぜなら、保持本体の２個の溝は眼鏡枠の中央連結片の２本の横材をぴったりはめ込む大きさとしているため、眼前のよくは見えない位置において勘を頼りに作業をしても不可能である。眼鏡枠の着脱をするには、どうしても保持本体を外して行うしかない。【０００４】  眼鏡枠の着脱を頻繁に行う場合、わざわざ保持本体を外して眼鏡枠の着脱をした後に再び装着し直すという操作を繰り返すのは面倒である。本発明が解決しようとする課題は、保持本体を装着したままで眼鏡枠を着脱できるようにする点にある。
【課題を解決するための手段】
【０００５】  請求項１に係る眼鏡は、眼鏡枠１２を顔面の所定位置に保持する保持本体１と保持本体１に対して着脱できるようにした眼鏡枠１２とからなるものにおいて、保持本体１の所定位置において上下に回転できるように回転片７を取り付け、回転片７の下方にくぼみ１０又は突起１５を設けてくぼみ１０の奥又は突起１５に磁石１１を設け、回転片７のくぼみ１０又は突起１５に対応する位置において眼鏡枠１２の上方に回転片７のくぼみ１０にはまる突起１５又は回転片７の突起１５がはまるくぼみ１０を設けてその突起１５又はくぼみ１０の奥に回転片７の磁石１１と吸着し合う磁石１６を設け、しかもくぼみ１０の大きさを突起１５よりやや大きめのものとしたものである。すなわち、くぼみ１０を回転片７に設けてくぼみ１０にはまる突起１５を眼鏡枠１２に設けてもよいし、くぼみ１０を眼鏡枠１２に設けて突起１５を回転片７に設けてもよい。【０００６】  請求項２に係る眼鏡は、請求項１記載のものにおいて、眼鏡枠１２を取り付ける際に眼鏡枠１２をガイドするガイド部９を回転片７又は眼鏡枠１２に設けたことを特徴とするものである。すなわち、ガイド部９は回転片７に設けてもよいし、眼鏡枠１２に設けてもよい。【０００７】  保持本体１としては、普通のつる式のものとしてもよいし、ヘッドバンド式等のものとしてもよい。また、本発明に係る眼鏡は、跳ね上げ式の眼鏡にすることもできる。【０００８】  本発明に係る眼鏡において、眼鏡枠１２の取替えをする際には保持本体１を装着したまま回転片７と共に眼鏡枠１２を上方へ回転させた後に眼鏡枠１２を引き抜く。それから別の眼鏡枠１２を手に持ち、半分は勘を頼りにして回転片７へ近付けて行き、眼鏡枠１２の突起１５又はくぼみ１０と回転片７のくぼみ１０又は突起１５とをはめ合す。くぼみ１０の方を突起１５よりやや大きめに形成しているため、半分は勘を頼りにしても容易にはめ合すことができる。はめ合せた後は回転片７の磁石１１と眼鏡枠１２の磁石１６とが吸着し合うことで回転片７に対し眼鏡枠１２がしっかり保持される。くぼみ１０の方を突起１５よりやや大きめに形成しているが、はめ合せる際には磁石１１と磁石１６との中心が一致する位置へ自動的に移動しながら吸着し合うため、眼鏡枠１２は回転片７に対して正確な所定位置に固定される。眼鏡枠１２の取付けが終ったら眼鏡枠１２を下方へ回転させ所定角度にして使用する。使用中も眼鏡枠１２の角度調整は自由にできる。請求項２に係る眼鏡においては、眼鏡枠１２を取り付ける際に眼鏡枠１２をガイドするガイド部９を回転片７又は眼鏡枠１２に設けているため、眼鏡枠１２を取り付ける際にはガイド部９がガイドして突起１５とくぼみ１０とをはめ合せる。
【発明の効果】
【０００９】  本発明に係る眼鏡を使用する場合は、保持本体１を装着したままで眼鏡枠１２の着脱を容易に行うことができる。眼鏡枠１２を取り付ける際には正確な所定位置への位置合せも自動的にされる。請求項２に係るものにおいては、ガイド部９の働きで眼鏡枠１２の取付けを更に容易に行うことができる。
【発明を実施するための最良の形態】
【００１０】  本発明を実施するための最良の形態を図１及び図２に基づいて説明する。図１は斜視図であり、図２は要部を縦断面図とした側面図である。１は保持本体を示しているが、保持本体１はヘッドバンドタイプのものである。すなわち、保持本体１は、中央の取付片２、取付片２の裏側に取り付けられたヘッドバンド３及び取付片２の裏側にヘッドバンド３を介して取り付けられたクッション材４とからなっている。ヘッドバンド３の両端付近の表面・裏面に面ファスナー５を張り付けている。取付片２の中央から下方へ向けて突出部６を形成している。別体の回転片７を用意している。回転片７の上方部を突出部６を挟む二股に形成して突出部６を二股で挟んだ状態にし、二股と突出部６とにピン８を通すことで取付片２に回転片７を取り付けている。回転片７の前方から下方へ向けて半円板状のガイド部９を形成し、ガイド部９の内側位置において上方へ向けてくぼみ１０を設けている。くぼみ１０は方形のものとし上方へ行くほど少しずつ小さくなるようにしている。くぼみ１０の上方位置において磁石１１の二つを左右に埋め込んでいる。【００１１】  別体の眼鏡枠１２を用意している。眼鏡枠１２は左右のレンズ枠１３・１３の中央を中央連結片１４で連結した構造のものとしている。中央連結片１４の中央上面には上方へ向けて突起１５を形成している。突起１５は回転片７のくぼみ１０と同じ形状のものとし、くぼみ１０よりやや小さいものとしている。そして、回転片７の両磁石１１・１１にそれぞれ対応する位置において突起１５に二つの磁石１６・１６をそれぞれ埋め込んでいる。磁石１６・１６は回転片７の磁石１１・１１とそれぞれ吸着し合うものとしている。【００１２】  以上のものは次のように使用する。使用中はヘッドバンド３を頭部に巻いて面ファスナー５で止めておく。眼鏡枠１２を取り付けるには回転片７を上方へ回転させておき、眼鏡枠１２の中央連結片１４の外面を回転片７のガイド部９の裏面に押し当てる。それから中央連結片１４をガイド部９に沿わせて顔面側へ移動させていく。中央連結片１４の突起１５が回転片７のくぼみ１０にはまったところで突起１５の磁石１６・１６が回転片７の磁石１１・１１と吸着し合うことで眼鏡枠１２は回転片７にしっかり保持された状態となる。くぼみ１０の方を突起１５よりやや大きめに形成しているため、半ば勘でやっていっても突起１５をくぼみ１０内へスムースに挿入していくことができる。そして、挿入するとき突起１５の磁石１６・１６の中心が回転片７の磁石１１・１１の中心と一致するする位置に自動的に移動して磁石１６・１６と磁石１１・１１とが吸着し合って眼鏡枠１２は回転片７に保持される。すなわち、突起１５をくぼみ１０内に挿入するだけで突起１５は正確な位置に位置合せされ固定される。このことで眼鏡枠１２は回転片７に対して正確な所定位置に固定される。眼鏡枠１２の取付けが終ったら眼鏡枠１２を持って下方へ回転させ、所定角度になったところで回転を止める。この状態で眼鏡を使用する。使用中も眼鏡枠１２の角度調整は自由にできる。【００１３】  眼鏡枠１２を取り替えるには眼鏡枠１２を上方へ回転させる。眼鏡枠１２と回転片７とが一体になって上方へ回転し、その後で眼���枠１２を前方下方へ引き抜く。つぎに、望みの眼鏡枠１２を取り付ける。回転片７を上方へ回転させて眼鏡枠１２の着脱をするようにしたのは、顔面に密着した状態での眼鏡枠１２の着脱ができないからである。
【図面の簡単な説明】
【００１４】
【図１】発明を実施するための最良の形態を示す斜視図である。
【図２】図１に示したものの要部縦断側面図である。
【符号の説明】
【００１５】    １    保持本体
７    回転片
９    ガイド部
１０    くぼみ
１１    磁石
１２    眼鏡枠
１５    突起
１６    磁石
【図１】
2005043843.tif 000003
【図２】
2005043843.tif 000004